(57)【要約】【課題】濡れた傘を電車内やショッピング中など手に所持している時、手を傘から放したい時に、傘の石突きに設けた台座を足で踏むことにより、傘が直立し、手を解放することのできる傘立てを提供する。【解決手段】略長方形、またはコの字型の台座の上面の長手方向の一端に基板を直立に設け、該基板裏面上部に締付具を設け、該締付具に傘の石突きを垂直に挿入し挟持し、台座を足で踏むことにより、傘を自立させることを特徴とする足踏み傘立て。【選択図】図３
2006087862.tif 000002
【特許請求の範囲】
【請求項１】
略長方形の基板からなる台座の長手方向の一端に基板を直立に設け、該基板台座上面に傾斜面を台座上面の長手方向から基板に向かって設け、基板の裏面上部中央に環状の締付具を設け、該締付具に傘の先端石突きを挿入して挟持し、台座を足で踏むことにより、傘を自立させることを特徴とする足踏み傘立て。
【請求項２】
直立に設けた基板上端部に台座を折り畳み可能とする回転軸、および回転軸を固定するロック機構を設けてなる請求項１の足踏み傘立て。
【発明の詳細な説明】
【技術分野】
【０００１】本発明は、傘の任意の太さの石突きに足踏み台座を設けた足踏み傘立てに関する。
【背景技術】
【０００２】従来、電車内やショッピング中など傘を使う雨の日は、手などで傘を保持する必要があり、手を使いたいときは、傘をどこかに置くか別の手段を取る必要があった。
【発明の開示】
【発明が解決しようとする課題】
【０００３】そのために、次のような問題点があった。
電車内やショッピング中などでは、傘を長時間持っていなければならず、持つ手が疲れたりするなどした。また手を使いたい時などは、傘をどこかに引っかけたり、立てかけたりしなければならず、置く場所を探さす手間、時には置き忘れするなど、手を解放したい時に非常に不便であった。
本発明は以上の問題点を解決しようとするものである。
【課題を解決するための手段】
【０００４】本発明の足踏み式傘立ては、次の実施例１、または実施例２よりなる。【０００５】実施例１は、台座１ａの上面の一端に基板２を直立に設け、該基板２の裏面上部に環状の締付具４を設け、該締付具４に傘の石突きを垂直に挿入し挟持し、台座１ａを足で踏むことにより傘が直立に保たれ、手が解放できる足踏み傘立てである。【０００６】実施例２は、上記傘立てに台座部を折り畳み可能とする回転軸９、および回転軸９を固定するロック機構を設けた足踏み傘立てである。
【発明の効果】
【０００７】本発明は、台座を足で踏んでいるだけで、傘が自立し、手が解放され、電車内やショッピング中の不自由さを解決することができる。また常に台座を踏んで傘を保持しているため、置き忘れや盗難などの心配も解決できる。
【実施例１】実施例１の足踏み傘立ての構成を図１について説明する。【０００８】図１は、足踏み傘立てを示す正面斜視図である。
（イ）略長方形、または略楕円形状の台座１ａの上面の長手方向の一端に基板２を直立させて設け、該台座１ａ上面に直角三角形状の２枚の傾斜板３を、台座１ａの上面の長手方向から基板２に向かって直立に設ける。傾斜板３の傾斜角は、２０度前後が望ましい。
なお、傾斜板３は２枚に限定されない。１つ以上あればよい。
（ロ）基板２の裏面上部中央に、上下が開口された環状の締付具４を開口部５が上下に向くように設ける。なお、締付具４は１つ以上あればよい。
本発明である、実施例１の足踏み傘立ては、以上の構成によりなっている。【０００９】本発明を使用する時は、まず環状の締付具４の上部開口部５から下に向かって傘の石突きを垂直に挿入し、該先端部が地面に接地した状態で石突きを締付具４で狭持する。これで器具の装着は完了する。
傘立てとして使用する際は、長手方向の台座１ａを足で踏むことにより、傘が直立し、手で傘を保持することなく傘立てとしての機能を果たす。
また台座１ａの上面に傾斜板３を設けたことにより、台座１ａを足で踏んだとき、体重が締付具４方向に掛かるため、より傘を安定して直立に維持させることが可能となる。未使用時は、締付具４を緩めて石突きを抜くことにより取り外しが可能となる。
【実施例２】図３は、実施例２の足踏み傘立てを示す正面斜視図である。図４は、実施例２の足踏み傘立てを示す背面斜視図であり、実施例１記載の足踏み傘立ての台座部を折り畳み可能にした例であり、未使用時、器具を取り外すことなく台座部を収納できるため、器具を取り外す手間が無く実施例１より優れている。【００１０】実施例２の足踏み傘立ての構成を図３、および図４について説明する。
（イ）略コの字型の基台である台座１ｂの上面のコの字開口端の他端に基板２ａを直立させて設ける。台座１ｂの厚みは、コの字型の凹方向から基板２ａに向かって２０度前後の角度で傾斜を設ける。
（ロ）基板２ａの中央部分に縦長状の溝８を並列に２つ設け、操作片９を縦長状の溝８に添って上下往復摺動可能、離脱不能するように基板２ａを介して取りつける。なお、縦長状の溝８は、１つ以上あればよい。
（ハ）基板２ａの上端部に、直立状態から水平方向に半回動する回転軸６を設け、基板２ｂを基板２ａに沿って直立な位置で、かつＬ字状の係止片１０が縦長状の溝８の最上位位置のとき、該係止片１０が基板２ｂの下端部を係着する位置で該回転軸６に蝶着させる。
（ニ）基板２ａの縦長状の溝８より水平に突出した操作片９は、縦長状の溝８を貫通して裏側のＬ字状の係止片１０と一体形成され、該係止片１０は基板２ａの下端を係着自在とする。
（ホ）基板２ａの縦長状の溝８より水平に突出した操作片９の裏側に支持軸１１を垂直下向きに設け、該支持軸１１にバネ７の上端部を通し、他端を台座１ｂ後端部中央に固着する。
（ヘ）回転軸６が取りつけられた基板２ｂの裏面上部に調整板１２を設け、該中央に上下が開口した環状の締付具４を開口部５が上下に向くように設ける。なお、締付具４は１つ以上あればよい。【００１１】次に、実施例２の足踏み傘立ての動きを図５について説明する。
図５は、実施例２の足踏み傘立てを真横からみた断面図である。
（イ）図５（ａ）は、係止片１０と一体形成された操作片９がバネ７の弾性復帰力により縦長状の溝８の上方に押し上げられた状態であり、回転軸６に取りつけられた台座１ｂおよび基板２ａは回転軸６によって回転し、基板２ｂに直立に沿う移行途中の状態である。
（ロ）図５（ｂ）は、係止片１０と一体形成された操作片９を上からの押圧（手や足などの押圧）によりバネ７の弾性復帰力に逆らって縦長状の溝８に添って下方に押し下げた状態であり、台座１ｂは図５（ａ）の状態からさらに台座１ｂおよび基板２ａを回転させ、最終的に基板２ｂに沿って直立にした状態である。
（ハ）図５（ｃ）は、図５（ｂ）の状態から、押圧をなくした状態である。（手や足を離した状態である。）押圧が無くなったことにより、バネ７の弾性復帰力で操作片９及び係止片１０が縦長状の溝８に添って上方に押し上げられ、係止片１０が基板２ａと基板２ｂを沿直立な状態で係着する。【００１２】本発明を使用する時は、基本的に実施例１と同様であるが、図５（ｃ）の状態で傘の石突きを上下が開口した環状の締付具４の上部開口部５から下に向かって垂直に挿入し、該先端部が地面に接地した状態で石突きを締付具４で狭持する。
このとき、調整板１２を設けることにより締付具４の上部開口部５から下に向かって挿入した石突きが係止片１０に当接することなくスムーズに挿入可能となる。
これで器具の装着は完了する。傘立てとして使用する際は、傾斜した略コの字型の台座１ｂを足で踏むことにより、傘が直立し、手で傘を保持することなく傘立てとしての機能を果たす。
また実施例１と同様に、台座１ｂを基板２ａ方向に向かって２０度前後の緩やかな傾斜をさせることにより、足で台座１ｂを踏んだとき、体重が締付具４方向に掛かかるため、より傘を安定して直立に維持させることが可能となる。その状態を示したものが図６である。【００１３】未使用時は、図５（ｃ）の状態において、係止片１０と一体形成された操作片９を上から押圧（手や足などの押圧）によりバネ７の弾性復帰力に逆らって縦長状の溝８に添って押し下げることにより、沿直立な状態の基板２ａと基板２ｂの係着を解除する。その状態が図５（ｂ）である。次に図５（ｂ）の状態から回転軸６に取りつけられた台座１ｂおよび基板２ａを回転軸６によって上方に回転させ、図５（ａ）の状態まで回転させたときが収納状態である。
【図面の簡単な説明】
【００１４】
【図１】実施例１の正面斜視図
【図２】実施例１の使用状態を示す斜視図
【図３】実施例２の正面斜視図
【図４】実施例２の背面斜視図
【図５】実施例２の使用手順を示す断面図
【図６】実施例２の使用状態を示す斜視図
【図７】実施例２の台座部の折り畳み状態（収納状態）を示す斜視図
【符号の説明】
【００１５】１  台座
２  基板
３  傾斜板
４  締付具
５  開口部
６  回転軸
７  バネ
８  縦長状の溝
９  操作片
１０  係止片
１１  支持軸
１２  調整板
【図１】
2006087862.tif 000003
【図２】
2006087862.tif 000004
【図３】
2006087862.tif 000005
【図４】
2006087862.tif 000006
【図５】
2006087862.tif 000007
【図６】
2006087862.tif 000008
【図７】
2006087862.tif 000009